(57)【特許請求の範囲】
【請求項１】
頭部側に刃板出入口を有する収納室を設けたハンドル本体に対しロックカバーを開閉し得るように回動可能に支持した収納ハンドルと、操作つまみを有する刃板とを備え、
この収納ハンドルは、ロックカバーの回動に伴い、ハンドル本体に対しロックカバーを閉じて組み付ける閉動状態と、ハンドル本体からロックカバーを開いて離す開動状態とを取り、
この刃板は、ハンドル本体の収納室に挿入されてこの収納室に沿って操作つまみとともに移動可能に支持され、刃板出入口を通って収納室から突出する使用状態と、刃板出入口から収納室に没入する不使用状態とを取り、
前記収納ハンドルにあっては、
前記刃板を使用状態にするとともに前記ロックカバーを閉動状態にした場合、前記操作つまみに係止されて刃板の移動方向上における突出向き及び没入向きへの移動を阻止する頭部側係止部を設け、この刃板の使用状態でこのロックカバーを開動状態にしたとき、この刃板の没入向きへの移動を許容するように、前記頭部側係止部に対する操作つまみの係止を解除し、
前記刃板を不使用状態にするとともに前記ロックカバーを閉動状態にした場合、前記操作つまみに係止されて刃板の移動方向上における没入向き及び突出向きへの移動を阻止する尻部側係止部を設け、この刃板の不使用状態でこのロックカバーを開動状態にしたとき、この刃板の突出向きへの移動を許容するように、前記尻部側係止部に対する操作つまみの係止を解除し、
前記ハンドル本体の収納室は、前記操作つまみが刃板の移動方向に沿って移動し得るように露出する案内溝を有し、
前記頭部側係止部及び尻部側係止部は、それぞれ、この案内溝と前記ロックカバーとに設けられ、
前記刃板を使用状態にするとともに前記ロックカバーを閉動状態にした場合、刃板の移動方向に対し直交し且つロックカバーの開閉動方向に沿う方向の移動を規制するように操作つまみを挟む頭部側挟持部をこのロックカバーと案内溝とに設け、
前記刃板の使用状態で前記ロックカバーを閉動状態にしたとき、刃板を収納室の内面に押し付ける方向の力を働かせるように互いに当接し得る圧接面を、
前記操作つまみと前記ロックカバーの頭部側挟持部とのうち少なくともいずれか一方のものに設けるか、または前記操作つまみと前記ハンドル本体とのうち少なくともいずれか一方のものに設けた
ことを特徴とする刃板出没式ナイフ。
【請求項２】
頭部側に刃板出入口を有する収納室を設けたハンドル本体に対しロックカバーを開閉し得るように回動可能に支持した収納ハンドルと、操作つまみを有する刃板とを備え、
この収納ハンドルは、ロックカバーの回動に伴い、ハンドル本体に対しロックカバーを閉じて組み付ける閉動状態と、ハンドル本体からロックカバーを開いて離す開動状態とを取り、
この刃板は、ハンドル本体の収納室に挿入されてこの収納室に沿って操作つまみとともに移動可能に支持され、刃板出入口を通って収納室から突出する使用状態と、刃板出入口から収納室に没入する不使用状態とを取り、
前記収納ハンドルにあっては、
前記刃板を使用状態にするとともに前記ロックカバーを閉動状態にした場合、前記操作つまみに係止されて刃板の移動方向上における突出向き及び没入向きへの移動を阻止する頭部側係止部を設け、この刃板の使用状態でこのロックカバーを開動状態にしたとき、この刃板の没入向きへの移動を許容するように、前記頭部側係止部に対する操作つまみの係止を解除し、
前記刃板を不使用状態にするとともに前記ロックカバーを閉動状態にした場合、前記操作つまみに係止されて刃板の移動方向上における没入向き及び突出向きへの移動を阻止する尻部側係止部を設け、この刃板の不使用状態でこのロックカバーを開動状態にしたとき、この刃板の突出向きへの移動を許容するように、前記尻部側係止部に対する操作つまみの係止を解除し、
前記ハンドル本体の収納室は、前記操作つまみが刃板の移動方向に沿って移動し得るように露出する案内溝を有し、
前記頭部側係止部及び尻部側係止部は、それぞれ、この案内溝と前記ロックカバーとに設けられ、
前記刃板を不使用状態にするとともに前記ロックカバーを閉動状態にした場合、刃板の移動方向に対し直交し且つロックカバーの開閉動方向に沿う方向の移動を規制するように操作つまみを挟む尻部側挟持部をこのロックカバーと案内溝とに設け、
前記刃板の不使用状態で前記ロックカバーを閉動状態にしたとき、刃板を収納室の内面に押し付ける方向の力を働かせるように互いに当接し得る圧接面を、
前記操作つまみと前記ロックカバーの尻部側挟持部とのうち少なくともいずれか一方のものに設けるか、または前記操作つまみと前記ハンドル本体とのうち少なくともいずれか一方のものに設けた
ことを特徴とする刃板出没式ナイフ。
【請求項３】
頭部側に刃板出入口を有する収納室を設けたハンドル本体に対しロックカバーを開閉し得るように回動可能に支持した収納ハンドルと、操作つまみを有する刃板とを備え、
この収納ハンドルは、ロックカバーの回動に伴い、ハンドル本体に対しロックカバーを閉じて組み付ける閉動状態と、ハンドル本体からロックカバーを開いて離す開動状態とを取り、
この刃板は、ハンドル本体の収納室に挿入されてこの収納室に沿って操作つまみとともに移動可能に支持され、刃板出入口を通って収納室から突出する使用状態と、刃板出入口から収納室に没入する不使用状態とを取り、
前記収納ハンドルにあっては、
前記刃板を使用状態にするとともに前記ロックカバーを閉動状態にした場合、前記操作つまみに係止されて刃板の移動方向上における突出向き及び没入向きへの移動を阻止する頭部側係止部を設け、この刃板の使用状態でこのロックカバーを開動状態にしたとき、この刃板の没入向きへの移動を許容するように、前記頭部側係止部に対する操作つまみの係止を解除し、
前記刃板を不使用状態にするとともに前記ロックカバーを閉動状態にした場合、前記操作つまみに係止されて刃板の移動方向上における没入向き及び突出向きへの移動を阻止する尻部側係止部を設け、この刃板の不使用状態でこのロックカバーを開動状態にしたとき、この刃板の突出向きへの移動を許容するように、前記尻部側係止部に対する操作つまみの係止を解除し、
前記ハンドル本体の収納室は、前記操作つまみが刃板の移動方向に沿って移動し得るように露出する案内溝を有し、
前記頭部側係止部及び尻部側係止部は、それぞれ、この案内溝と前記ロックカバーとに設けられ、
前記刃板を使用状態にするとともに前記ロックカバーを閉動状態にした場合、刃板の移動方向に対し直交し且つロックカバーの開閉動方向に沿う方向の移動を規制するように操作つまみを挟む頭部側挟持部をこのロックカバーと案内溝とに設け、
前記刃板の使用状態で前記ロックカバーを閉動状態にしたとき、刃板を収納室の内面に押し付ける方向の力を働かせるように互いに当接し得る圧接面を、
前記操作つまみと前記ロックカバーの頭部側係止部とのうち少なくともいずれか一方のものに設けるか、または前記操作つまみと前記ハンドル本体とのうち少なくともいずれか一方のものに設けた
ことを特徴とする刃板出没式ナイフ。
【発明の詳細な説明】
【０００１】
【発明の属する技術分野】
この発明は、刃板が収納ハンドルから突出する使用状態と収納ハンドル内に没入する不使用状態とを取り得る刃板出没式ナイフに関するものである。
【０００２】
【従来の技術】
従来、この種の刃板出没式ナイフにおいては、例えば実開昭５７ー２３２６７号公報に示すように、緊締ねじを利用して、刃体が使用状態と不使用状態とでロックされるようになっている。
【０００３】
【発明が解決しようとする課題】
しかし、上記緊締ねじが不用意に緩むことも起こり得るため、刃体を確実にロックすることができなくなるとともに、刃体ががたつくおそれがある。
【０００４】
本発明は、刃板を使用状態と不使用状態とで確実にロックするとともに、刃板のがたつきを防止することを目的にしている。
【０００５】
【課題を解決するための手段】
後記実施形態の図面（図１〜４）の符号を援用して本発明を説明する。
請求項１または請求項２または請求項３の発明にかかる刃板出没式ナイフは、下記の共通構成を有している。
【０００６】
この刃板出没式ナイフは、頭部（２ａ）側に刃板出入口（７）を有する収納室（６）を設けたハンドル本体（２）に対しロックカバー（３）を開閉し得るように回動可能に支持した収納ハンドル（１）と、操作つまみ（５）を有する刃板（４）とを備えている。この収納ハンドル（１）は、ロックカバー（３）の回動に伴い、ハンドル本体（２）に対しロックカバー（３）を閉じて組み付ける閉動状態（Ｒ）と、ハンドル本体（２）からロックカバー（３）を開いて離す開動状態（Ｓ）とを取り得る。この刃板（４）は、ハンドル本体（２）の収納室（６）に挿入されてこの収納室（６）に沿って操作つまみ（５）とともに移動可能に支持され、刃板出入口（７）を通って収納室（６）から突出する使用状態（Ｐ）と、刃板出入口（７）から収納室（６）に没入する不使用状態（Ｑ）とを取り得る。
【０００７】
前記収納ハンドル（１）にあっては、前記刃板（４）を使用状態（Ｐ）にするとともに前記ロックカバー（３）を閉動状態（Ｒ）にした場合、前記操作つまみ（５）に係止されて刃板（４）の移動方向（Ｘ）上における突出向き（ＸＦ）及び没入向き（ＸＢ）への移動を阻止する頭部側係止部（９，２１）を設け、この刃板（４）の使用状態（Ｐ）でこのロックカバー（３）を開動状態（Ｓ）にしたとき、この刃板（４）の没入向き（ＸＢ）への移動を許容するように、前記頭部側係止部（９，２１）に対する操作つまみ（５）の係止を解除する。
【０００８】
前記刃板（４）を不使用状態（Ｑ）にするとともに前記ロックカバー（３）を閉動状態（Ｒ）にした場合、前記操作つまみ（５）に係止されて刃板（４）の移動方向（Ｘ）上における没入向き（ＸＢ）及び突出向き（ＸＦ）への移動を阻止する尻部側係止部（１０，２２）を設け、この刃板（４）の不使用状態（Ｑ）でこのロックカバー（３）を開動状態（Ｓ）にしたとき、この刃板（４）の突出向き（ＸＦ）への移動を許容するように、前記尻部側係止部（１０，２２）に対する操作つまみ（５）の係止を解除する。
【０００９】
前記ハンドル本体（２）の収納室（６）は、前記操作つまみ（５）が刃板（４）の移動方向（Ｘ）に沿って移動し得るように露出する案内溝（８）を有している。前記頭部側係止部（９，２１）及び尻部側係止部（１０，２２）は、それぞれ、この案内溝（８）と前記ロックカバー（３）とに設けられている。
【００１０】
さらに、請求項１の発明は下記の構成を追加している。
前記刃板（４）を使用状態（Ｐ）にするとともに前記ロックカバー（３）を閉動状態（Ｒ）にした場合、刃板（４）の移動方向（Ｘ）に対し直交し且つロックカバー（３）の開閉動方向（Ｙ）に沿う方向の移動を規制するように操作つまみ（５）を挟む頭部側挟持部（２３，８ａ）をこのロックカバー（３）と案内溝（８）とに設けている。前記刃板（４）の使用状態（Ｐ）で前記ロックカバー（３）を閉動状態（Ｒ）にしたとき、刃板（４）を収納室（６）の内面に押し付ける方向の力（Ｗ）を働かせるように互いに当接し得る圧接面（１３，２５）を前記操作つまみ（５）と前記ロックカバー（３）の頭部側挟持部（２３）とのうち少なくともいずれか一方のものに設けている。また、前記操作つまみ（５）と前記ハンドル本体（２）とのうち少なくともいずれか一方のものに前記圧接面（図示せず）を設けてもよい。
【００１１】
さらに、請求項２の発明は下記の構成を追加している。
前記刃板（４）を不使用状態（Ｑ）にするとともに前記ロックカバー（３）を閉動状態（Ｒ）にした場合、刃板（４）の移動方向（Ｘ）に対し直交し且つロックカバー（３）の開閉動方向（Ｙ）に沿う方向の移動を規制するように操作つまみ（５）を挟む尻部側挟持部（２４，８ａ）をこのロックカバー（３）と案内溝（８）とに設けている。前記刃板（４）の不使用状態（Ｑ）で前記ロックカバー（３）を閉動状態（Ｒ）にしたとき、刃板（４）を収納室（６）の内面に押し付ける方向の力（Ｗ）を働かせるように互いに当接し得る圧接面（１３，２６）を前記操作つまみ（５）と前記ロックカバー（３）の尻部側挟持部（２４）とのうち少なくともいずれか一方のものに設けている。また、前記操作つまみ（５）と前記ハンドル本体（２）とのうち少なくともいずれか一方のものに前記圧接面（図示せず）を設けてもよい。
【００１２】
さらに、請求項３の発明は下記の構成を追加している。
前記刃板（４）を使用状態（Ｐ）にするとともに前記ロックカバー（３）を閉動状態（Ｒ）にした場合、刃板（４）の移動方向（Ｘ）に対し直交し且つロックカバー（３）の開閉動方向（Ｙ）に沿う方向の移動を規制するように操作つまみ（５）を挟む頭部側挟持部（２３，８ａ）をこのロックカバー（３）と案内溝（８）とに設けている。前記刃板（４）の使用状態（Ｐ）で前記ロックカバー（３）を閉動状態（Ｒ）にしたとき、刃板（４）を収納室（６）の内面に押し付ける方向の力（Ｗ）を働かせるように互いに当接し得る圧接面（１４，２７）を前記操作つまみ（５）と前記ロックカバー（３）の頭部側係止部（２１）とのうち少なくともいずれか一方のものに設けている。また、前記操作つまみ（５）と前記ハンドル本体（２）とのうち少なくともいずれか一方のものに前記圧接面（図示せず）を設けてもよい。
【００１３】
【発明の実施の形態】
以下、本発明の一実施形態にかかるフィールドナイフを図面を参照して説明する。
【００１４】
このフィールドナイフは、図１及び図２に示すように、大別して、ハンドル本体２とロックカバー３とを有する収納ハンドル１と、操作つまみ５を有する刃板４とを備えている。以下の説明にあたっては、収納ハンドル１においてハンドル本体２を上側にするとともにロックカバー３を下側にし、刃板４はその後側にあるハンドル本体２の前側で出没し、ハンドル本体２において操作つまみ５のある側を左側にするとともに操作つまみ５のない側を右側にする。
【００１５】
＜前記ハンドル本体２＞
このハンドル本体２内には収納室６が前端頭部２ａから後端尻部２ｂにわたり形成されている。この収納室６は、ハンドル本体２の頭部２ａ側で刃板出入口７により開放されているとともに、ハンドル本体２の左側で案内溝８により開放されている。この案内溝８は、前端頭部２ａから後端尻部２ｂにわたり互いに平行に延びる上縁８ａ（頭部側挟持部、尻部側挟持部）及び下縁８ｂと、ハンドル本体２の頭部２ａでこの上下両縁８ａ，８ｂ間に形成された頭部側係止部９と、ハンドル本体２の尻部２ｂでこの上下両縁８ａ，８ｂ間に形成された尻部側係止部１０とを有している。このハンドル本体２の尻部２ｂには止め部材１１が回動可能に支持されている。
【００１６】
＜前記刃板４＞
この刃板４は、下側の刃先４ａと上側の背縁４ｂと左右両側面４ｃ，４ｄとを有している。この左側面４ｃの後端側に前記操作つまみ５が螺着されている。
【００１７】
この刃板４は、ハンドル本体２の収納室６に対し刃板出入口７から挿入され、この収納室６に沿って操作つまみ５とともに前後方向へ移動可能に支持されている。この操作つまみ５は、収納室６の案内溝８から露出し、刃板４の移動時にこの案内溝８の頭部側係止部９と尻部側係止部１０とに当接し得る。この操作つまみ５が案内溝８の頭部側係止部９に当接すると、図１及び図３に示すように、刃板４は刃板出入口７を通って収納室６から突出する使用状態Ｐとなる。この操作つまみ５が案内溝８の尻部側係止部１０に当接すると、図２及び図４に示すように、刃板４は刃板出入口７から収納室６に没入する不使用状態Ｑとなる。
【００１８】
＊  前記操作つまみ５
この操作つまみ５は、図３及び図４に示すように、前記刃板４の左側面４ｃから左方へ突出する指当部１２を有している。この指当部１２は、この左側面４ｃに対し段差状をなして周面を構成する上面１２ａ、下面１２ｂ、前面１２ｃ及び後面１２ｄと、この各面１２ａ，１２ｂ，１２ｃ，１２ｄの左端縁で囲まれた左面１２ｅとを有している。前記指当部１２において下面１２ｂ及び後面１２ｄと左面１２ｅとの間の隅部には、それぞれ、傾斜状に面取りされた圧接面１３，１４が形成されている。
【００１９】
＜前記ロックカバー３＞
このロックカバー３は、下壁１５と、左壁１６ａと、右壁１６ｂと、この各壁１５，１６ａ，１６ｂ間の溝１７とを有している。この左壁１６ａ及び右壁１６ｂの前端部（基端部）には二股状の回動支持部１８が形成されている。このロックカバー３は、回動支持部１８（回動中心１８ａ）で前記ハンドル本体２の頭部２ａの下側に対し回動可能に支持され、その回動に伴い、ハンドル本体２に対し刃板４の刃先４ａに面する下側で開閉動される。収納ハンドル１は、このロックカバー３の回動に伴い、図３及び図４に示すようにハンドル本体２の頭部２ａから尻部２ｂにわたりロックカバー３を閉じて組み付ける閉動状態Ｒと、図１及び図２に示すようにハンドル本体２からロックカバー３を開いて離す開動状態Ｓとを取る。この閉動状態Ｒで止め部材１１をロックカバー３に引掛けると、ハンドル本体２に対するロックカバー３の開閉動が阻止される。
【００２０】
このロックカバー３の左壁１６ａにおいて前端部（基端部）と後端部（先端部）とにはそれぞれＬ状の切欠き部１９，２０が形成されている。この前側切欠き部１９には上下方向へ延びる頭部側係止部２１が形成され、この後側切欠き部２０には上下方向へ延びる尻部側係止部２２が形成されている。この前側切欠き部１９には前後方向へ延びる頭部側挟持部２３が形成され、この後側切欠き部２０には前後方向へ延びる尻部側挟持部２４が形成されている。この頭部側挟持部２３及び尻部側挟持部２４には、それぞれ、傾斜状に面取りされた圧接面２５，２６が形成されている。この頭部側係止部２１には、傾斜状に面取りされた圧接面２７が形成されている。
【００２１】
＜刃板４を使用状態Ｐにしロックカバー３を閉動状態Ｒにした場合＞
図３（ａ）に示すように、前記操作つまみ５の指当部１２は、ロックカバー３の頭部側挟持部２３と案内溝８の上縁８ａとの間で挟持された状態で、ハンドル本体２の案内溝８の頭部側係止部９とロックカバー３の左壁１６ａの頭部側係止部２１との間に位置する。この指当部１２の前面１２ｃ及び後面１２ｄがこれらの頭部側係止部９，２１に係止されるので、刃板４の移動方向Ｘ上における突出向きＸＦ及び没入向きＸＢへの移動が阻止される。
【００２２】
図３（ｂ）に示すように、このロックカバー３の頭部側挟持部２３の圧接面２５が操作つまみ５の指当部１２の圧接面１３に当接する。これらの圧接面１３，２５は当接状態におけるロックカバー３の開閉動方向Ｙに対し傾斜しているので、刃板４を収納室６の内面に押し付ける方向の力Ｗがロックカバー３の閉動力の分力として働く。
【００２３】
また、図３（ｃ）に示すように、このロックカバー３の頭部側係止部２１の圧接面２７が操作つまみ５の指当部１２の圧接面１４に当接する。これらの圧接面１４が刃板４の移動方向Ｘに対し傾斜しているので、刃板４を収納室６の内面に押し付ける方向の力Ｗがロックカバー３の閉動力の分力として働く。
【００２４】
＜刃板４を使用状態Ｐにしロックカバー３を開動状態Ｓにした場合＞
図１（ａ）に示すように、刃板４の使用状態Ｐでロックカバー３を閉動状態Ｒから開動状態Ｓにすると、ロックカバー３の頭部側係止部２１の圧接面２７が操作つまみ５の指当部１２の圧接面１４から離れてそれらの間の係止が解除されるとともに、ロックカバー３の頭部側挟持部２３の圧接面２５が操作つまみ５の指当部１２の圧接面１３から離れ、刃板４の没入向きＸＢへの移動を許容する。
【００２５】
＜刃板４を不使用状態Ｑにしロックカバー３を閉動状態Ｒにした場合＞
図４（ａ）に示すように、前記操作つまみ５の指当部１２は、ロックカバー３の尻部側挟持部２４と案内溝８の上縁８ａとの間で挟持された状態で、ハンドル本体２の案内溝８の尻部側係止部１０とロックカバー３の左壁１６ａの尻部側係止部２２との間に位置する。この指当部１２の前面１２ｃ及び後面１２ｄがこれらの尻部側係止部１０，２２に係止されるので、刃板４の移動方向Ｘ上における突出向きＸＦ及び没入向きＸＢへの移動が阻止される。
【００２６】
図４（ｂ）に示すように、このロックカバー３の尻部側挟持部２４の圧接面２６が操作つまみ５の指当部１２の圧接面１３に当接する。これらの圧接面１３，２６は当接状態におけるロックカバー３の開閉動方向Ｙに対し傾斜しているので、刃板４を収納室６の内面に押し付ける方向の力Ｗがロックカバー３の閉動力の分力として働く。
【００２７】
＜刃板４を不使用状態Ｑにしロックカバー３を開動状態Ｓにした場合＞
図２（ａ）に示すように、刃板４の不使用状態Ｑでロックカバー３を閉動状態Ｒから開動状態Ｓにすると、ロックカバー３の尻部側係止部２２が操作つまみ５の指当部１２の前面１２ｃから離れてそれらの間の係止が解除されるとともに、ロックカバー３の尻部側挟持部２４の圧接面２６が操作つまみ５の指当部１２の圧接面１３から離れ、刃板４の突出向きＸＦへの移動を許容する。
【００２８】
＜本実施形態の特徴＞
前記実施形態は下記＊の特徴（後記する他の技術的思想以外）を有する。
＊  刃板４が出没し得る収納ハンドル１においてハンドル本体２に対しロックカバー３が開閉動し、そのロックカバー３の閉動状態Ｒで刃板４の操作つまみ５（指当部１２）がロックカバー３に対し係止される。従って、ハンドル本体２とともに収納ハンドル１の一部をなすロックカバー３を有効に利用した簡単な構造で、刃板４を使用状態Ｐと不使用状態Ｑとで確実にロックすることができる。
【００２９】
＊  刃板４の操作つまみ５（指当部１２）は、ハンドル本体２の案内溝８に沿って移動し、刃板４を使用状態Ｐにするとともにロックカバー３を閉動状態Ｒにした場合、案内溝８の頭部側係止部９とロックカバー３の頭部側係止部２１との間で係止されるとともに、案内溝８の上縁８ａ（頭部側挟持部）とロックカバー３の頭部側挟持部２３との間で係止される。また、刃板４の操作つまみ５（指当部１２）は、刃板４を不使用状態Ｑにするとともにロックカバー３を閉動状態Ｒにした場合、案内溝８の尻部側係止部１０とロックカバー３の尻部側係止部２２との間で係止されるとともに、案内溝８の上縁８ａ（尻部側挟持部）とロックカバー３の尻部側挟持部２４との間で係止される。従って、刃板４を使用状態Ｐと不使用状態Ｑとでより一層確実にロックすることができる。
【００３０】
＊  刃板４の使用状態Ｐと不使用状態Ｑとでロックカバー３を閉動状態Ｒにしたとき、刃板４を収納室６の内面に押し付ける方向の力Ｗを働かせるように互いに当接し得る圧接面１３，１４，２５，２６，２７を操作つまみ５とロックカバー３とに設けた。そのため、収納室６内において刃板４のがたつきを防止することができる。従って、刃板４を使用状態Ｐと不使用状態Ｑとでより一層確実にロックすることができる。
【００３１】
〔他の実施形態〕
前記実施形態以外に下記＊のように構成してもよい。
＊  前記実施形態において、図４に示す刃板４の不使用状態Ｑで、指当部１２の圧接面１４に対し、刃板４を収納室６の内面に押し付ける方向の力Ｗを働かせるように当接し得る圧接面（図示せず）を止め部材１１（ハンドル本体２）に設ける。
【００３２】
＊  前記実施形態において、図３に示す刃板４の使用状態Ｐで、刃板４を収納室６の内面に押し付ける方向の力Ｗを働かせるように互いに当接し得る圧接面（図示せず）を、指当部１２の上面１２ａと案内溝８の上縁８ａ（ハンドル本体２）との間や、指当部１２の前面１２ｃと案内溝８の頭部側係止部９（ハンドル本体２）との間に設ける。
【００３３】
＊  前記実施形態において、図４に示す刃板４の不使用状態Ｑで、刃板４を収納室６の内面に押し付ける方向の力Ｗを働かせるように互いに当接し得る圧接面（図示せず）を、指当部１２の上面１２ａと案内溝８の上縁８ａ（ハンドル本体２）との間や、指当部１２の前面１２ｃとロックカバー３の尻部側係止部２２との間に設ける。
【００３４】
〔他の技術的思想〕
前記実施形態から把握できる技術的思想（請求項以外）を記載する。
（イ）  請求項１と請求項２とを組み合わせた発明、または請求項１と請求項３とを組み合わせた発明、または請求項２と請求項３とを組み合わせた発明
（ロ）  請求項１または上記（イ）において、ロックカバー３の頭部側挟持部２３の圧接面２５と、この圧接面２５が当接し得る操作つまみ５の圧接面１３とのうち、少なくとも一方の圧接面１３，２５は、それらの当接状態におけるロックカバー３の開閉動方向Ｙに対し傾斜している。従って、刃板４を収納室６の内面に押し付ける方向の力Ｗが発生し易くなって刃板４を確実にロックすることができる。
【００３５】
（ハ）  請求項２または上記（イ）において、ロックカバー３の尻部側挟持部２４の圧接面２６と、この圧接面２６が当接し得る操作つまみ５の圧接面１３とのうち、少なくとも一方の圧接面１３，２６は、それらの当接状態におけるロックカバー３の開閉動方向Ｙに対し傾斜している。従って、刃板４を収納室６の内面に押し付ける方向の力Ｗが発生し易くなって刃板４を確実にロックすることができる。
【００３６】
（ニ）  請求項３または上記（イ）において、ロックカバー３の頭部側係止部２１の圧接面２７と、この圧接面２７が当接し得る操作つまみ５の圧接面１４とのうち、少なくとも一方の圧接面１４，２７は、刃板４の移動方向Ｘに対し傾斜している。従って、刃板４を収納室６の内面に押し付ける方向の力Ｗが発生し易くなって刃板４を確実にロックすることができる。
【００３７】
（ホ）  請求項１または請求項２または請求項３または上記（イ）または上記（ロ）または上記（ハ）または上記（ニ）にかかる収納ハンドル１において、ロックカバー３は、ハンドル本体２に対し刃板４の刃先４ａに面する側で開閉動し、閉動状態Ｒでハンドル本体２の頭部２ａから尻部２ｂにわたり閉じて組み付けられる。従って、刃板４がハンドル本体２から突出している状態でも、ロックカバー３の開閉動を刃板４に邪魔されることなく容易に行うことができる。
【００３８】
（ヘ）  請求項１または請求項２または請求項３または上記（イ）または上記（ロ）または上記（ハ）または上記（ニ）または上記（ホ）にかかる収納ハンドル１において、ロックカバー３は基端部でハンドル本体２の頭部２ａに対し回動可能に支持され、このロックカバー３の先端部は閉動状態Ｒでハンドル本体２の尻部２ｂに対し止め部材１１により連結される。従って、ハンドル本体２にロックカバー３を確実に保持することができる。
【００３９】
【発明の効果】
請求項１または請求項２または請求項３の発明にかかる刃板出没式ナイフによれば、ハンドル本体（２）とともに収納ハンドル（１）の一部をなすロックカバー（３）を有効に利用して、刃板（４）を使用状態（Ｐ）と不使用状態（Ｑ）とで、確実にロックすることができるとともに、収納室（６）内において刃板（４）のがたつきを防止することができる。
【図面の簡単な説明】
【図１】（ａ）は本実施形態にかかるフィールドナイフにおいて刃板の使用状態及びロックカバーの開動状態を示す正面図であり、（ｂ）は（ａ）のＡーＡ線部分断面図である。
【図２】（ａ）は本実施形態にかかるフィールドナイフにおいて刃板の不使用状態及びロックカバーの開動状態を示す正面図であり、（ｂ）は（ａ）のＢーＢ線部分断面図である。
【図３】（ａ）は本実施形態にかかるフィールドナイフにおいて刃板の使用状態及びロックカバーの閉動状態を示す正面図であり、（ｂ）は（ａ）のＣーＣ線部分断面図であり、（ｃ）は（ａ）のＤーＤ線部分断面図である。
【図４】（ａ）は本実施形態にかかるフィールドナイフにおいて刃板の不使用状態及びロックカバーの閉動状態を示す正面図であり、（ｂ）は（ａ）のＥーＥ線部分断面図であり、（ｃ）は（ａ）のＦーＦ線部分断面図である。
【符号の説明】
１…収納ハンドル、２…ハンドル本体、２ａ…頭部、３…ロックカバー、４…刃板、５…操作つまみ、６…収納室、７…刃板出入口、８…案内溝、８ａ…上縁（頭部側挟持部、尻部側挟持部）、９…頭部側係止部、１０…尻部側係止部、１３，１４…圧接面、２１…頭部側係止部、２２…尻部側係止部、２３…頭部側挟持部、２４…尻部側挟持部、２５，２６，２７…圧接面、Ｒ…閉動状態、Ｓ…開動状態、Ｐ…使用状態、Ｑ…不使用状態、Ｘ…移動方向、ＸＦ…突出向き、ＸＢ…没入向き、Ｗ…力。
【図１】
0003581614.tif 000002
【図２】
0003581614.tif 000003
【図３】
0003581614.tif 000004
【図４】
0003581614.tif 000005